(57)【要約】 【課題】小さい面積に圧力が集中する突起により痛みや違和感が伴う可能性がある点、特許文献３では他の靴、又は同靴内における他の部位に使用できない点、を解消する。【解決手段】指圧具１は、平面視の縦Ｙ及び横Ｘの寸法の中央を頂点１ａとして外縁部Ｑに向かって漸次厚みが小さくなる曲面状に形成された指圧部１Ａを平面及び底面に有することとした。【効果】つぼの指圧効果と圧力の分散効果がバランス良く得られ、痛みや違和感がほとんど無く、かつ目的とするつぼを確実に指圧でき、さらに、長時間使用できると共にその分長い時間つぼを指圧し続けられ、指圧効果は向上する。【選択図】  図１
0003129679.tif 000002
【実用新案登録請求の範囲】
【請求項１】
つぼを押圧する指圧具であって、平面視の縦及び横の寸法の中央を頂点として外縁部に向かって漸次厚みが小さくなる曲面状に形成された指圧部を平面及び底面に有することを特徴とする指圧具。
【請求項２】
指圧部は、平面視が楕円状とされ、縦寸法に対する横寸法の比率が、１：１．５〜１：３．０であることを特徴とする請求項１記載の指圧具。
【請求項３】
側面視における、平面、底面の各々の指圧部における外縁部から頂点までの厚み寸法が、全体厚みの半分の寸法に対して７５〜９０％であることを特徴とする請求項１又は２記載の指圧具。
【請求項４】
指圧部の、アスカー社製Ｃ型硬度計による硬度が、３０〜５０度であることを特徴とする請求項１〜３のいずれかに記載の指圧具。
【請求項５】
側面視における厚み中央で分割して一対の指圧部とし、対向する分割面に、全体厚みに対して１０〜１５％の隙間を形成するように接着用の貼合部材を介在させることを特徴とする請求項１〜４のいずれかに記載の指圧具。
【考案の詳細な説明】
【技術分野】
【０００１】
本考案は、つぼを指圧する部位からの圧力が、指圧しようとするつぼの周りに適度に分散されて長時間の使用に耐える心地よい指圧感を与えることができ、また、他の靴、又は同靴内における他の部位、並びに手で握るといった使用も可能な指圧具に関する。
【背景技術】
【０００２】
従来、つぼを指圧する指圧具としては、以下の文献が存在する。
【特許文献１】特開平１０−９４５７８号公報
【特許文献２】特開平８−１８２７１６号公報
【特許文献３】実開平７−２２７３８号公報
【０００３】
特許文献１は、靴内に配置して足裏のつぼを指圧する指圧具において、突起状の指圧部の下面に接着剤を施し、この接着剤を施した面に剥離紙を設けたことを特徴としている。また、特許文献１は、指圧部の上部が尖鋭形状から半月状とする点についても記載されている。
【０００４】
特許文献２は、小型でありながら広い面積に亘ってつぼを指圧するマッサージ健康具において、多数の突起を有し、該多数の突起は錐体突起からなることを特徴としている。
【０００５】
特許文献３は、靴内に配置して足裏のつぼを指圧する履物用健康パットにおいて、上面に足裏のつぼに合わせて指圧突起を設けたベースと、このベースの裏側に設けた履物への取付手段とを備えたことを特徴としている。
【考案の開示】
【考案が解決しようとする課題】
【０００６】
しかしながら、上記特許文献１〜３には次の問題があった。すなわち、特許文献１は、半分に割った竹を踏むといったような足踏み手法では、足裏全体のつぼが刺激されて悪い影響をおよぼすと指摘している。
【０００７】
そこで、特許文献１は、ピンポイントでつぼを指圧するための構成としているが、そのような構成では、小さい面積に圧力が集中することになるので、痛みを感じたり違和感が生じることになる。
【０００８】
また、特許文献１では、指圧部の上部が尖鋭形状から半月状とする点についても記載しているが、例え半月状としたとしても、足裏全体のつぼが刺激される点を否定する以上、小さい面積に圧力が集中する構成であることには変わりがない。
【０００９】
特許文献２は、錐体突起からなる多数の突起により多くのつぼを指圧する構成とされているが、頂点を曲面、尖塔、平坦のいずれかに形成したとしても全体としては錐体の突起であることから、特許文献１と同様、小さい面積に圧力が集中する構成であることに変わりがない。
【００１０】
特許文献３は、足裏のつぼに合わせた突起がベース上に形成されており、このベースを取付手段により靴内に取り付ける構成であることから、他の靴、又は同靴内における他の部位に使用できない、といった問題がある。
【００１１】
本考案が解決しようとする問題点は、特許文献１，２では小さい面積に圧力が集中する突起により痛みや違和感が伴う可能性がある点、特許文献３では他の靴、又は同靴内における他の部位に使用できない点、である。
【課題を解決するための手段】
【００１２】
本考案の指圧具は、上記問題点を解決するために、平面視の縦及び横の寸法の中央を頂点として外縁部に向かって漸次厚みが小さくなる曲面状に形成された指圧部を平面及び底面に有することとした。
【００１３】
また、本考案の指圧具は、上記構成において、指圧部の、平面視を楕円状とし、縦寸法に対する横寸法の比率を１：１．５〜１：３．０としてもよい。
【００１４】
また、本考案の指圧具は、上記いずれかの構成において、側面視における、平面、底面の各々の指圧部における外縁部から頂点までの厚み寸法が、全体厚みの半分の寸法に対して７５〜９０％であってもよい。
【００１５】
また、本考案の指圧具は、上記いずれかの構成において、指圧部の、アスカー社製Ｃ型硬度計による硬度が、３０〜５０度であってもよい。
【００１６】
また、本考案の指圧具は、上記いずれかの構成において、平面、底面の各々の指圧部を側面視における厚み中央で分割して一対の指圧部とし、対向する分割面に、全体厚みに対して１０〜１５％の隙間を形成するように接着用の貼合部材を介在させるようにしてもよい。
【考案の効果】
【００１７】
本考案に係る指圧具は、平面及び底面の指圧部が、各々、平面視の縦及び横の寸法の中央を頂点として外縁部に向かって漸次厚みが小さくなる曲面状に形成されているから、指圧しようとするつぼを中心として、広い範囲に圧力が分散される。したがって、本考案に係る指圧具は、特許文献１，２に較べて痛みや違和感がほとんど無い心地よい指圧感を与えることができ、その結果、長時間使用しても全く不快感がない。
【００１８】
また、本考案に係る指圧具は、平面及び底面に指圧部に頂点を有しているので、平面及び底面どちらを使用しても目的とするつぼを確実に指圧する。すなわち、本考案に係る指圧具は、痛みや違和感がほとんど無いからといってつぼの指圧効果が低いというわけではなく、むしろ違和感がないことに起因して長時間使用できるため、その分、長時間つぼを指圧し続けられるから、指圧効果は向上する。
【００１９】
さらに、本考案の指圧具は、指圧部の平面視を楕円状とし、縦寸法に対する横寸法の比率を１：１．５〜１：３．０とすることにより、足の裏について使用する場合には、足の長さに横寸法を対応させるように使用すれば足からはみ出すことがなく、手のひらに握り込んだり緩めたりして使用しても握りにくいということがない。したがって、本考案の指圧具は、靴下や靴の内部に挿入して使用しやすく、また、手に握りやすく、さらに、平面視が楕円状であることから、傷を負うと言った不具合も生じない。
【００２０】
さらに、本考案の指圧具は、平面、底面の各々の側面視における外縁部から頂点までの厚み寸法を、全体厚みの半分の寸法に対して７５〜９０％とすることにより、目的とするつぼをピンポイントで指圧する頂点は、常に全体厚みとのバランスで規定されることとなるから、過剰に突出したり平坦になったりすることがなく、つぼのピンポイントの指圧効果と圧力の分散効果をバランス良く機能させることができる。
【００２１】
さらに、本考案の指圧具は、指圧部のアスカー社製Ｃ型硬度計による硬度を３０〜５０度とすることにより、つぼの指圧効果と圧力の分散効果をバランス良くかつ的確に機能させることができ、また、手のひらに握り込んだり緩めたりして使用する際には適度なクッション性（硬さ又は柔らかさ）を有するのでリハビリ効果を得ることができる。
【００２２】
さらに、本考案の指圧具は、側面視における厚み中央で分割して一対の指圧部とし、対向する分割面に、全体厚みに対して１０〜１５％の隙間を形成するように接着用の貼合部材を介在させることで、上記した圧力の分散、クッション性、リハビリ効果を的確に得ることができ、また、隙間により使用時の指圧部の蓄熱を放出できるから、常に一定の使用感を得ることができる。
【考案を実施するための最良の形態】
【００２３】
本考案は、図１〜図３を参照して説明する以下の形態により実施可能である。
本考案の指圧具１は、図１（ａ）に示す平面視における縦Ｙ及び横Ｘの寸法の中央を頂点１ａとして外縁部Ｑに向かって漸次厚みが小さくなる曲面状に形成された指圧部１Ａを平面及び底面にそれぞれ有している。
【００２４】
つまり指圧具１は、頂点１ａにより目的とするつぼをピンポイントで指圧し、外縁部Ｑに向かう頂点１ａ以外の部分で圧力を分散するように構成されている。なお、以下の説明で指圧部１Ａ，１Ａと記す場合は、双方の関係を踏まえた説明のときであり、指圧部１Ａと記す場合は、一方で他方を代表して説明する場合とする。
【００２５】
指圧部１Ａは、本例では、例えば発泡ウレタンを採用することとしているがこれに限らず、非発泡ウレタン、発泡又は非発泡のゴムでも、その他の樹脂であっても構わないが、後述する硬さ又は柔らかさ（以下、総称して「硬度」と記す）の規定を満たし、かつ頂点１ａから外縁部Ｑに至るまでの全域で厚みによる硬度の差が生じないように成型することが望ましい。
【００２６】
この理由は、頂点１ａ周辺と外縁部Ｑ周辺とにおいて厚みによる硬度の差が生じると、上記した指圧具１により、目的とするつぼの指圧効果と圧力の分散効果がバランス良く機能しなくなるからである。
【００２７】
例えば頂点１ａの硬度が高い場合はつぼの指圧効果が圧力の分散効果より向上して痛みを伴う場合が、また、その逆に頂点１ａの硬度が低い場合はつぼの指圧効果が圧力の分散効果よりも低下して目的とするつぼを十分に指圧できなくなる。
【００２８】
例えば外縁部Ｑの硬度が高い場合は圧力の分散効果がつぼの指圧効果よりも低下して目的とするつぼを十分に指圧できなくなり、また、その逆に外縁部Ｑの硬度が低い場合は圧力の分散効果がつぼの指圧効果よりも向上して痛みを伴う場合がある。
【００２９】
また、本例における指圧具１は、図１（ｂ）に示す側面視における全体厚みＺの中央で分割して指圧部１Ａ，１Ａとし、対向する分割面に、１６．２５ｍｍの全体厚みＺの１２．３％に相当する約２．００ｍｍの間隔Ｚａとした隙間Ｓを形成するように接着用の貼合部材Ｐを介在させている。隙間Ｓの間隔Ｚａは前記に限らないが、１０〜１５％とすることが望ましい。
【００３０】
もちろん、指圧部１Ａを分割していない（隙間Ｓを有しない）場合でも本考案の作用効果のほとんどを得られるが、分割して指圧部１Ａ，１Ａとしておくことで、例えば足裏に使用した場合、隙間Ｓと人体と接触しない側の頂点１ａにより圧力の分散効果を十分に発揮でき、また、この隙間Ｓから使用時の蓄熱を放出できるという格別な作用効果を得ることができる。
【００３１】
そして、隙間Ｓの間隔Ｚａを全体厚みＺに対して１０〜１５％とする理由は次の通りである。間隔Ｚａが１０％より小さいと、狭いため、使用時におけるつぼの指圧効果と圧力の分散効果とのバランスにおいては圧力の分散効果が低減することとなる。一方、間隔Ｚａが１５％より大きいと、広いため、使用時におけるつぼの指圧効果と圧力の分散効果とのバランスにおいてはつぼの指圧効果が低減することとなる。
【００３２】
また、本例では、平面、底面の各々の指圧部１Ａは、外縁部Ｑから頂点１ａまでの厚みＺｂを、例えば図１（ｂ）に示す側面視における、全体厚みＺ（１６．２５ｍｍ）の半分の寸法８．１２５ｍｍの８７％に相当する７．１２ｍｍとしている。厚みＺｂは前記に限らないが、７５〜９０％とすることが望ましい。
【００３３】
ここで、外縁部Ｑから頂点１ａまでの厚みＺｂとは本例のように隙間Ｓを有する場合又は隙間Ｓを有さないが間隔Ｚａの部分が平坦とされている場合は理解しやすいが、隙間Ｓが有さず間隔Ｚａの部分が曲面とされている場合は理解しにくい。
【００３４】
よって、外縁部Ｑから頂点１ａまで、における外縁部Ｑとは、頂点１ａへ向かう隆起の開始端（間隔Ｚａ部分の曲面の開始端でもある）を意味することとする。これによって、外縁部Ｑから頂点１ａまでの厚みＺｂとは実質的な頂点１ａの厚みを意味することが理解できる。
【００３５】
厚みＺｂが全体厚みＺの半分の寸法に対して７５％より小さいと、平坦度が高くなり、頂点１ａによるつぼの指圧効果が低減する。一方、厚みＺｂが全体厚みＺの半分の寸法に対して９０％より大きいと、突出量が大きくなり、頂点１ａに圧力が集中して痛みが生じる可能性がある。
【００３６】
さらに、指圧部１Ａは、本例では、例えば図１（ａ）に示す平面視が楕円状とされ、縦Ｙに対する横Ｘの寸法比率が１：２．２に相当する、縦Ｙの寸法を４０．００ｍｍ、横Ｘの寸法を８８．８３ｍｍとしている。縦Ｙと横Ｘの寸法は前記に限らないが、縦Ｙに対する横Ｘの寸法比率は１：１．５〜１：３．０であることが望ましい。
【００３７】
この理由は、縦Ｙに対する横Ｘの寸法比率が１：１．５より小さい場合、頂点１ａから外縁部Ｑまでに十分な面積を確保できず、その結果、この狭い面積において圧力が集中して痛みを伴う場合がある。一方、縦Ｙに対する横Ｘの寸法比率が１：３．０より大きい場合、足の裏に、又は手のひらに、使用する際、横Ｘ寸法が大きすぎて違和感を生じたり、横Ｘ方向に指圧部１Ａがはみ出したりする場合がある。
【００３８】
さらに、本例では、指圧部１Ａのアスカー社製Ｃ型硬度計による硬度を３５度としている。指圧部１Ａの硬度は、前記に限らないが、３０〜５０度とすることが望ましい。この理由は、硬度が３０度より柔らかいと、つぼの指圧効果が低減し、硬度が５０度より硬いと、圧力の分散効果が低減してしまうからである。
【００３９】
以上の構成とされた、指圧具１は、例えば図２のように、靴下や靴の中に入れて足の裏で踏んで、あるいは図３のように、手のひらに持ち、図３（ａ）（ｂ）すなわち握ったり開いたりして、使用する。
【００４０】
このように使用する本考案の指圧具１は、痛みや違和感がほとんど無く、かつ目的とするつぼを確実に指圧でき、さらに、長時間使用できると共にその分長い時間つぼを指圧し続けられ、指圧効果は向上する。
【産業上の利用可能性】
【００４１】
以上の説明では、指圧具として説明したが、図３に示すように手のひらに持ち、握ったり開いたり（緩めたり）して使用することで、いわゆるアルツハイマー病の予防、麻痺のリハビリ運動に効果があることが実験により判明しており、このことから、本考案の指圧具は、医療用機器として利用してもよい。
【図面の簡単な説明】
【００４２】
【図１】本考案の指圧具の構成を示し、（ａ）は平面図、（ｂ）側面図、である。
【図２】（ａ）（ｂ）は本考案の指圧具を足の裏に使用した状態を示す図である。
【図３】（ａ）（ｂ）は本考案の指圧具を手のひらに使用した状態を示す図である。
【符号の説明】
【００４３】
１  指圧具
１Ａ  指圧部
１ａ  頂点
Ｐ  貼合部材
Ｑ  外縁部
Ｓ  隙間
【図１】
0003129679.tif 000003
【図２】
0003129679.tif 000004
【図３】
0003129679.tif 000005